(57)【要約】【課題】  所定の空間とこの空間外とを連通する隙間をできるだけ少なくすることにより、電磁波シールド性能を向上する。【解決手段】  部屋の床面１１と天井１６の間の所定の空間１２の上部と床面上に導電性アッパ部材１３と導電性ロア部材１４を設け、導電性ローラ２９が転動し両端部が重合する導電性カーテンレール１７をアッパ部材周縁に沿って天井に固定する。上縁が導電性ローラに取付けられ下縁がロア部材に接触する導電性可動カーテン１８がカーテンレールに沿って展開又は折畳まれ展開状態で所定の空間の上面と床面の間の周囲面を覆う。展開した可動カーテンの上部を覆う導電性固定カーテン１９の上縁をカーテンレールとともに天井に固定する。可動カーテンのカーテン本体１８ａに接触帯部１８ｂを設け、カーテン本体下縁から接触帯部にかけて形成した扁平筒状袋１８ｃに可動ウエイト３４を収容する。【選択図】  図１
2006118260.tif 000002
【特許請求の範囲】
【請求項１】
部屋の床面(11)と天井(16)との間の所定の空間(12)の上部に設けられた導電性を有するアッパ部材(13)と、前記所定の空間(12)の床面(11)上に設けられた導電性を有するロア部材(14)と、前記アッパ部材(13)の周縁に沿うように前記天井(16)に固定され内部に導電性を有する複数のローラ(29)が転動可能に収容されかつ両端部が所定の長さだけ重合するように構成された導電性を有するカーテンレール(17)と、上縁が所定の間隔をあけて前記複数のローラ(29)に取付けられ下縁が前記床面(11)に到達して前記ロア部材(14)に接触するように垂下され前記カーテンレール(17)に沿って水平方向に展開又は折畳むように構成されかつ展開した状態で前記所定の空間(12)の上面と床面(11)との間の周囲面を覆う導電性を有する可動カーテン(18,118)と、上縁が前記カーテンレール(17)とともに前記部屋の天井(16)に固定され前記展開した可動カーテン(18,118)の上部を覆うように垂下された導電性を有する固定カーテン(19)とを備えた電磁波シールド間仕切り構造において、
前記可動カーテン(18,118)が、鉛直方向に延びるカーテン本体(18a,118a)と、このカーテン本体(18a,118a)の下縁に一体的に設けられ前記ロア部材(14)に接触して前記床面(11)上に広がる接触帯部(18b,118b)とを有し、
前記カーテン本体(18a,118a)の下縁から前記接触帯部(18b,118b)にかけて前記可動カーテン(18,118)の高さ方向に所定の長さを有しかつ前記可動カーテン(18,118)の全幅にわたって扁平筒状袋(18c,118c)が形成され、
前記扁平筒状袋(18c,118c)内で前記可動カーテン(18,118)の高さ方向に移動可能な可動ウエイト(34)が前記扁平筒状袋(18c,118c)に前記可動カーテン(18,118)の全幅に延びて収容された
ことを特徴とする電磁波シールド間仕切り構造。
【請求項２】
扁平筒状袋(18c)がカーテン本体(18a)の下縁から接触帯部(18b)の基端縁にかけて形成され、前記接触帯部(18b)の先端縁に可動カーテン(18)の全幅に延びる先端ウエイト(33)が設けられた請求項１記載の電磁波シールド間仕切り構造。
【請求項３】
可動カーテン(18,118)の扁平筒状袋(18c,118c)より上方のカーテン本体(18a,118a)下部に前記可動カーテン(18,118)の全幅に延びるテンションウエイト(32)が設けられた請求項１記載の電磁波シールド間仕切り構造。
【請求項４】
固定カーテン(19)の可動カーテン(18,118)に対向する内面にシート材(36)が導電性を有する接続部材により固着され、導電性繊維を前記シート材(36)に織り込むことにより形成された導電性突起物(37)が前記シート材(36)の表面に立設され、前記導電性突起物(37)の先端が前記展開された可動カーテン(18,118)に接触するように構成された請求項１記載の電磁波シールド間仕切り構造。
【請求項５】
天井に、クッション性を有する導電性シート、アッパ部材の周縁及び固定カーテンの上縁を介してカーテンレールが取付けられた請求項１記載の電磁波シールド間仕切り構造。
【請求項６】
天井(16)から垂下された複数の吊りボルト(21)の下端に、アッパ部材(13)の周縁に沿うようにフレーム(23)が取付けられ、
前記フレーム(23)の下面に、クッション性を有する導電性シート(27)、前記アッパ部材(13)の周縁及び固定カーテン(19)の上縁を介してカーテンレール(17)が取付けられた請求項１記載の電磁波シールド間仕切り構造。
【請求項７】
展開した可動カーテン(18,118)の重合部の両側縁の隙間が面ファスナー(41,42)によりそれぞれ閉止可能に構成された請求項１記載の電磁波シールド間仕切り構造。
【請求項８】
部屋の床面(51)と壁面(52)と天井(59)で囲まれた所定の空間(53)の上部に設けられた導電性を有するアッパ部材(54)と、前記所定の空間(53)の床面(51)上に設けられた導電性を有するロア部材(56)と、前記所定の空間(53)の壁面(52)に設けられた導電性を有するサイド部材(57)と、前記サイド部材(57)の上縁一端から前記サイド部材(57)から離れかつ前記アッパ部材(54)の周縁に沿うように前記天井(59)に固定され内部に導電性を有する複数の第１ローラ(61a)が転動可能に収容された導電性を有する第１カーテンレール(61)と、前記サイド部材(57)の上縁他端から前記サイド部材(57)から離れかつ前記アッパ部材(54)の周縁に沿うように前記部屋の天井(59)に固定され内部に導電性を有する複数の第２ローラ(62a)が転動可能に収容され更に前記第１カーテンレール(61)と所定の長さだけ重合するように構成された導電性を有する第２カーテンレール(62)と、上縁が所定の間隔をあけて前記複数の第１ローラ(61a)に取付けられ下縁が前記床面(51)に到達して前記ロア部材(56)に接触するように垂下され前記第１カーテンレール(61)に沿って水平方向に展開又は折畳むように構成されかつ展開した状態で前記所定の空間(53)の上面と床面(51)との間の前記第１カーテンレール(61)下方の周囲面を覆う導電性を有する第１可動カーテン(71)と、上縁が所定の間隔をあけて前記複数の第２ローラ(62a)に取付けられ下縁が前記床面(51)に到達して前記ロア部材(56)に接触するように垂下され前記第２カーテンレール(62)に沿って水平方向に展開又は折畳むように構成されかつ展開した状態で前記所定の空間(53)の上面と床面(51)との間の前記第２カーテンレール(62)下方の周囲面を覆う導電性を有する第２可動カーテン(72)と、上縁が前記第１及び第２カーテンレール(61,62)とともに前記部屋の天井(59)に固定され前記展開した第１及び第２可動カーテン(71,72)の上部を覆うように垂下された導電性を有する固定カーテン(58)とを備えた電磁波シールド間仕切り構造であって、
前記第１可動カーテン(71)が、鉛直方向に延びる第１カーテン本体(71a)と、この第１カーテン本体(71a)の下縁に一体的に設けられ前記ロア部材(14)に接触して前記床面(11)上に広がる第１接触帯部(71b)とを有し、
前記第１カーテン本体(71a)の下縁から前記第１接触帯部(71b)にかけて前記第１可動カーテン(71)の高さ方向に所定の長さを有しかつ前記第１可動カーテン(71)の全幅にわたって第１扁平筒状袋(71c)が形成され、
前記第１扁平筒状袋(71c)内で前記第１可動カーテン(71)の高さ方向に移動可能な第１可動ウエイト(71f)が前記第１扁平筒状袋(71c)に前記第１可動カーテン(71)の全幅に延びて収容され、
前記第２可動カーテン(72)が、鉛直方向に延びる第２カーテン本体(72a)と、この第２カーテン本体(72a)の下縁に一体的に設けられ前記ロア部材(14)に接触して前記床面(11)上に広がる第２接触帯部(72b)とを有し、
前記第２カーテン本体(72a)の下縁から前記第２接触帯部(72b)にかけて前記第２可動カーテン(72)の高さ方向に所定の長さを有しかつ前記第２可動カーテン(72)の全幅にわたって第２扁平筒状袋(72c)が形成され、
前記第２扁平筒状袋(72c)内で前記第２可動カーテン(72)の高さ方向に移動可能な第２可動ウエイト(72f)が前記第２扁平筒状袋(72c)に前記第２可動カーテン(72)の全幅に延びて収容された
ことを特徴とする電磁波シールド間仕切り構造。
【請求項９】
第１扁平筒状袋(71c)が第１カーテン本体(71a)の下縁から第１接触帯部(71b)の基端縁にかけて形成され、前記第１接触帯部(71b)の先端縁に第１可動カーテン(71)の全幅に延びる第１先端ウエイト(71e)が設けられ、第２扁平筒状袋(72c)が第２カーテン本体(72a)の下縁から第２接触帯部(72b)の基端縁にかけて形成され、前記第２接触帯部(72b)の先端縁に第２可動カーテン(72)の全幅に延びる第２先端ウエイト(72e)が設けられた請求項８記載の電磁波シールド間仕切り構造。
【請求項１０】
第１可動カーテン(71)の第１扁平筒状袋(71c)より上方の第１カーテン本体(71a)下部に前記第１可動カーテン(71)の全幅に延びる第１テンションウエイト(71d)が設けられ、第２可動カーテン(72)の第２扁平筒状袋(72c)より上方の第２カーテン本体(72a)下部に前記第２可動カーテン(72)の全幅に延びる第２テンションウエイト(72d)が設けられた請求項８記載の電磁波シールド間仕切り構造。
【請求項１１】
固定カーテン(58)の第１及び第２可動カーテン(71,72)に対向する内面にシート材(67)が導電性を有する接続部材により固着され、導電性繊維を前記シート材(67)に織り込むことにより形成された導電性突起物(68)が前記シート材(67)の表面に立設され、前記導電性突起物(68)の先端が前記展開された第１及び第２可動カーテン(71,72)にそれぞれ接触するように構成された請求項８記載の電磁波シールド間仕切り構造。
【請求項１２】
天井(59)に、クッション性を有する導電性シート(63)、アッパ部材(54)の周縁及び固定カーテン(58)の上縁を介して第１及び第２カーテンレール(61,62)がそれぞれ取付けられた請求項８記載の電磁波シールド間仕切り構造。
【請求項１３】
天井から垂下された複数の吊りボルトの下端に、アッパ部材の周縁に沿うようにフレームが取付けられ、
前記フレームの下面に、クッション性を有する導電性シート、前記アッパ部材の周縁及び固定カーテンの上縁を介して第１及び第２カーテンレールがそれぞれ取付けられた請求項８記載の電磁波シールド間仕切り構造。
【請求項１４】
展開した第１及び第２可動カーテン(71,72)の重合部の両側縁の隙間が面ファスナー(101,102)によりそれぞれ閉止可能に構成された請求項８記載の電磁波シールド間仕切り構造。
【請求項１５】
請求項１ないし７いずれか１項に記載の電磁波シールド間仕切り構造に用いられる可動カーテン。
【請求項１６】
請求項１ないし７いずれか１項に記載の電磁波シールド間仕切り構造に用いられる固定カーテン。
【請求項１７】
請求項８ないし１４いずれか１項に記載の電磁波シールド間仕切り構造に用いられる第１及び第２可動カーテン。
【請求項１８】
請求項８ないし１４いずれか１項に記載の電磁波シールド間仕切り構造に用いられる固定カーテンからなるカーテン。
【発明の詳細な説明】
【技術分野】
【０００１】
本発明は、電磁波をシールドするための間仕切り構造に関する。更に詳しくは、測定機器や検査機器等に悪影響を与える電磁波が侵入するのを阻止するため、或いは測定機器や検査機器等が発生する電磁波が漏洩するのを阻止するために用いられる間仕切り構造と、この間仕切り構造に用いられるカーテンに関するものである。
【背景技術】
【０００２】
従来、載置面及びこの載置面に対向する対向面が電磁波シールド部材により構成され、上記載置面及び対向面を接続する側面が電磁波シールド部材製の間仕切り部材により構成された電磁波シールド構成体（例えば、特許文献１参照。）が開示されている。この電磁波シールド構成体では、上記電磁波シールド部材製の間仕切り部材が電気良導体により形成されたカーテンであり、このカーテンの分断部分でカーテンが重なるように構成される。またカーテンの取付部分の隙間を塞ぐために短い重ねカーテンが取付けられ、カーテンの下縁がＡｌ板製の載置面に触れるように構成される。
このように構成された電磁波シールド構成体では、所定空間を任意に電磁波シールドできるので、電磁波シールドの空間の構成を簡易かつ迅速に行うことができる。従って、電磁波シールド空間を比較的少ない工数で構築でき、電磁波シールド空間の構築コストを低減できるようになっている。
【特許文献１】特開昭６１−２６４２８８号公報（請求項１及び２、明細書第３頁左下欄第７行目〜第１０行目、明細書第４頁左上欄第２行目〜第７行目、明細書第５頁左下欄第７行目〜第１２行目、第１図（Ａ）〜第１図（Ｄ））
【発明の開示】
【発明が解決しようとする課題】
【０００３】
しかし、上記従来の特許文献１に示された電磁波シールド構成体では、カーテンの下縁が載置面に接触しているだけであるため、可撓性を有するカーテンに弛みが発生してカーテンの下縁と載置面との間に隙間が生じて電磁波シールド性能が低下する不具合があった。
また、上記従来の特許文献１に示された電磁波シールド構成体では、カーテンと重ねカーテンとの間に隙間が発生してしまい、所定の電磁波シールド性能が得られない問題点もあった。
また、上記従来の特許文献１に示された電磁波シールド構成体では、重ねカーテンをカーテンの取付部分と離れた箇所から突設された取付具に重ねカーテンを取付けているため、部品点数及び組付工数が増大する問題点があった。
更に、上記従来の特許文献１に示された電磁波シールド構成体では、カーテンの分断部分でカーテンの重なる部分の両側縁に隙間が発生してやはり所望の電磁波シールド性能が得られない問題点もあった。
本発明の目的は、所定の空間とこの空間外とを連通する隙間をできるだけ少なくすることにより、電磁波シールド性能を向上できるとともに、可動カーテンの見栄えを向上できる、電磁波シールド間仕切り構造及びこれに用いられるカーテンを提供することにある。
本発明の別の目的は、天井又は天井に吊下げられたフレームとカーテンレールとの間に、クッション性を有する導電性シート、固定カーテンの上縁及びアッパ部材の周縁を挟み込むことにより、アッパ部材と固定カーテンやカーテンレールとを電気的に接続できるとともに、天井又はフレームとカーテンレールとの間に隙間を発生させない、電磁波シールド間仕切り構造を提供することにある。
【課題を解決するための手段】
【０００４】
請求項１に係る発明は、図１、図３及び図８に示すように、部屋の床面１１と天井１６との間の所定の空間１２の上部に設けられた導電性を有するアッパ部材１３と、上記所定の空間１２の床面１１上に設けられた導電性を有するロア部材１４と、アッパ部材１３の周縁に沿うように天井１６に固定され内部に導電性を有する複数のローラ２９が転動可能に収容されかつ両端部が所定の長さだけ重合するように構成された導電性を有するカーテンレール１７と、上縁が所定の間隔をあけて複数のローラ２９に取付けられ下縁が床面１１に到達してロア部材１４に接触するように垂下されカーテンレール１７に沿って水平方向に展開又は折畳むように構成されかつ展開した状態で上記所定の空間１２の上面と床面１１との間の周囲面を覆う導電性を有する可動カーテン１８と、上縁がカーテンレール１７とともに部屋の天井１６に固定され展開した可動カーテン１８の上部を覆うように垂下された導電性を有する固定カーテン１９とを備えた電磁波シールド間仕切り構造の改良である。
その特徴ある構成は、可動カーテン１８が、鉛直方向に延びるカーテン本体１８ａと、このカーテン本体１８ａの下縁に一体的に設けられロア部材１４に接触して床面１１上に広がる接触帯部１８ｂとを有し、カーテン本体１８ａの下縁から接触帯部１８ｂにかけて可動カーテン１８の高さ方向に所定の長さを有しかつ可動カーテン１８の全幅にわたって扁平筒状袋１８ｃが形成され、扁平筒状袋１８ｃ内で可動カーテン１８の高さ方向に移動可能な可動ウエイト３４が扁平筒状袋１８ｃに可動カーテン１８の全幅に延びて収容されたところにある。
この請求項１に記載された電磁波シールド間仕切り構造では、可動カーテン１８の一側縁がカーテンレール１７の一端に位置しかつ可動カーテン１８の他側縁がカーテンレール１７の他端に位置するまで可動カーテン１８を展開すると、カーテンレール１７の重合長さ分だけ可動カーテン１８の両側部が重合し、所定の空間１２がアッパ部材１３、ロア部材１４、可動カーテン１８及び固定カーテン１９により上記所定の空間１２の周囲から仕切られる。このとき可動ウエイト３４が扁平筒状袋１８ｃ内を移動してカーテン本体１８ａの下縁又は接触帯部１８ｂを床面上のロア部材１４に強制的に接触させるので、ロア部材１４と可動カーテン１８との間の隙間の発生が阻止され、上記所定の空間１２を仕切る間仕切り構造の電磁波シールド性能を向上できる。
【０００５】
請求項２に係る発明は、請求項１に係る発明であって、更に図１及び図８に示すように、扁平筒状袋１８ｃがカーテン本体１８ａの下縁から接触帯部１８ｂの基端縁にかけて形成され、接触帯部１８ｂの先端縁に可動カーテン１８の全幅に延びる先端ウエイト３３が設けられたことを特徴とする。
この請求項２に記載された電磁波シールド間仕切り構造では、可動カーテン１８を展開して、所定の空間１２をアッパ部材１３、ロア部材１４、可動カーテン１８及び固定カーテン１９により仕切ったとき、可動ウエイト３４が扁平筒状袋１８ｃ内を移動してカーテン本体１８ａの下縁又は接触帯部１８ｂを床面上のロア部材１４に強制的に接触させるとともに、先端ウエイト３３が接触帯部１８ｂの先端縁を床面上のロア部材１４に強制的に接触させるので、ロア部材１４と可動カーテン１８との間の隙間の発生が更に確実に阻止され、上記所定の空間１２を仕切る間仕切り構造の電磁波シールド性能を更に向上できる。
請求項３に係る発明は、請求項１に係る発明であって、更に図１及び図８に示すように、可動カーテン１８の扁平筒状袋１８ｃより上方のカーテン本体１８ａ下部に可動カーテン１８の全幅に延びるテンションウエイト３２が設けられたことを特徴とする。
この請求項３に記載された電磁波シールド間仕切り構造では、可動カーテン１８の一側縁がカーテンレール１７の一端に位置しかつ可動カーテン１８の他側縁がカーテンレール１７の他端に位置するまで可動カーテン１８を展開すると、テンションウエイト３２が上記展開した可動カーテン１８のカーテン本体１８ａの弛みを無くすので、可動カーテン１８の見栄えを向上できるとともに、可動カーテン１８の弛む部分や皺になる部分が少なくなるので、可動ウエイト３４が扁平筒状袋１８ｃ内を移動して、カーテン本体１８ａの下縁又は接触帯部１８ｂを床面上のロア部材１４に効率良く接触させることができる。
【０００６】
請求項４に係る発明は、請求項１に係る発明であって、更に図１に示すように、固定カーテン１９の可動カーテン１８に対向する内面にシート材３６が導電性を有する接続部材により固着され、導電性繊維をシート材３６に織り込むことにより形成された導電性突起物３７がシート材３６の表面に立設され、導電性突起物３７の先端が展開された可動カーテン１８に接触するように構成されたことを特徴とする。
この請求項４に記載された電磁波シールド間仕切り構造では、展開した可動カーテン１８と固定カーテン１９との間に発生する隙間が導電性突起物３７により閉塞されるので、所定の空間１２を仕切る間仕切り構造の電磁波シールド性能を更に向上できる。
請求項５に係る発明は、請求項１に係る発明であって、更に天井に、クッション性を有する導電性シート、アッパ部材の周縁及び固定カーテンの上縁を介してカーテンレールが取付けられたことを特徴とする。
この請求項５に記載された電磁波シールド間仕切り構造では、天井とカーテンレールとの間に、アッパ部材の周縁及び固定カーテンの上縁を挟み込むことにより、アッパ部材と固定カーテンとを電気的に接続できるとともに、アッパ部材とカーテンレールとを電気的に接続できる。また天井とカーテンレールとの間に、クッション性を有する導電性シートを挟み込むことにより、導電性シートが変形して天井とカーテンレールとの間の隙間が閉塞されるので、所定の空間を仕切る間仕切り構造の電磁波シールド性能を更に向上できる。
【０００７】
請求項６に係る発明は、請求項１に係る発明であって、更に図１及び図８に示すように、天井１６から垂下された複数の吊りボルト２１の下端に、アッパ部材１３の周縁に沿うようにフレーム２３が取付けられ、フレーム２３の下面に、クッション性を有する導電性シート２７、アッパ部材１３の周縁及び固定カーテン１９の上縁を介してカーテンレール１７が取付けられたことを特徴とする。
この請求項６に記載された電磁波シールド間仕切り構造では、フレーム２３とカーテンレール１７との間に、アッパ部材１３の周縁及び固定カーテン１９の上縁を挟み込むことにより、アッパ部材１３と固定カーテン１９とを電気的に接続できるとともに、アッパ部材１３とカーテンレール１７とを電気的に接続できる。またフレーム２３とカーテンレール１７との間に、クッション性を有する導電性シート２７を挟み込むことにより、導電性シート２７が変形して天井１６とカーテンレール１７との間の隙間が閉塞されるので、所定の空間１２を仕切る間仕切り構造の電磁波シールド性能を更に向上できる。
請求項７に係る発明は、請求項１に係る発明であって、更に図５及び図７に示すように、展開した可動カーテン１８の重合部の両側縁の隙間が面ファスナー４１，４２によりそれぞれ閉止可能に構成されたことを特徴とする。
この請求項７に記載された電磁波シールド間仕切り構造では、展開した可動カーテン１８の重合部の両側縁を面ファスナー４１，４２によりそれぞれ閉止するので、所定の空間１２を仕切る間仕切り構造の電磁波シールド性能を更に向上できる。
【０００８】
請求項８に係る発明は、図１０及び図２１に示すように、部屋の床面５１と壁面５２と天井５９で囲まれた所定の空間５３の上部に設けられた導電性を有するアッパ部材５４と、上記所定の空間５３の床面５１上に設けられた導電性を有するロア部材５６と、上記所定の空間５３の壁面５２に設けられた導電性を有するサイド部材５７と、サイド部材５７の上縁一端からサイド部材５７から離れかつアッパ部材５４の周縁に沿うように天井５９に固定され内部に導電性を有する複数の第１ローラ６１ａが転動可能に収容された導電性を有する第１カーテンレール６１と、サイド部材５７の上縁他端からサイド部材５７から離れかつアッパ部材５４の周縁に沿うように部屋の天井５９に固定され内部に導電性を有する複数の第２ローラ６２ａが転動可能に収容され更に第１カーテンレール６１と所定の長さだけ重合するように構成された導電性を有する第２カーテンレール６２と、上縁が所定の間隔をあけて複数の第１ローラ６１ａに取付けられ下縁が床面５１に到達してロア部材５６に接触するように垂下され第１カーテンレール６１に沿って水平方向に展開又は折畳むように構成されかつ展開した状態で上記所定の空間５３の上面と床面５１との間の第１カーテンレール６１下方の周囲面を覆う導電性を有する第１可動カーテン７１と、上縁が所定の間隔をあけて複数の第２ローラ６２ａに取付けられ下縁が床面５１に到達してロア部材５６に接触するように垂下され第２カーテンレール７２に沿って水平方向に展開又は折畳むように構成されかつ展開した状態で上記所定の空間５３の上面と床面５１との間の第２カーテンレール６２下方の周囲面を覆う導電性を有する第２可動カーテン７２と、上縁が第１及び第２カーテンレール６１，６２とともに部屋の天井５９に固定され展開した第１及び第２可動カーテン７１，７２の上部を覆うように垂下された導電性を有する固定カーテン５８とを備えた電磁波シールド間仕切り構造である。
その特徴ある構成は、第１可動カーテン７１が、鉛直方向に延びる第１カーテン本体７１ａと、この第１カーテン本体７１ａの下縁に一体的に設けられロア部材１４に接触して床面１１上に広がる第１接触帯部７１ｂとを有し、第１カーテン本体７１ａの下縁から第１接触帯部７１ｂにかけて第１可動カーテン７１の高さ方向に所定の長さを有しかつ第１可動カーテン７１の全幅にわたって第１扁平筒状袋７１ｃが形成され、第１扁平筒状袋７１ｃ内で第１可動カーテン７１の高さ方向に移動可能な第１可動ウエイト７１ｆが第１扁平筒状袋７１ｃに第１可動カーテン７１の全幅に延びて収容され、第２可動カーテン７２が、鉛直方向に延びる第２カーテン本体７２ａと、この第２カーテン本体７２ａの下縁に一体的に設けられロア部材１４に接触して床面１１上に広がる第２接触帯部７２ｂとを有し、第２カーテン本体７２ａの下縁から第２接触帯部７２ｂにかけて第２可動カーテン７２の高さ方向に所定の長さを有しかつ第２可動カーテン７２の全幅にわたって第２扁平筒状袋７２ｃが形成され、第２扁平筒状袋７２ｃ内で第２可動カーテン７２の高さ方向に移動可能な第２可動ウエイト７２ｆが第２扁平筒状袋７２ｃに第２可動カーテン７２の全幅に延びて収容されたところにある。
この請求項８に記載された電磁波シールド間仕切り構造では、第１可動カーテン７１の他側縁が第１カーテンレール６１の他端に位置しかつ第２可動カーテン７２の他側縁が第２カーテンレール６２の他端に位置するまで第１及び第２可動カーテン７１，７２を展開すると、第１及び第２カーテンレール６１，６２の重合長さ分だけ第１及び第２可動カーテン７１，７２の他側部が重合し、所定の空間５３がアッパ部材５４、ロア部材５６、サイド部材５７、第１可動カーテ７１ン、第２可動カーテン７２及び固定カーテン５８により上記所定の空間５３の周囲から仕切られる。このとき第１可動ウエイト７１ｆが第１扁平筒状袋７１ｃ内を移動して第１カーテン本体７１ａの下縁又は第１接触帯部７１ｂを床面上のロア部材５６に強制的に接触させるとともに、第２可動ウエイト７２ｆが第２扁平筒状袋７２ｃ内を移動して第２カーテン本体７２ａの下縁又は第２接触帯部７２ｂを床面上のロア部材５６に強制的に接触させるので、ロア部材５６と第１及び第２可動カーテン７１，７２との間の隙間の発生が阻止され、上記所定の空間５３を仕切る間仕切り構造の電磁波シールド性能を向上できる。
【０００９】
請求項９に係る発明は、請求項８に係る発明であって、更に図１１及び図２１に示すように、第１扁平筒状袋７１ｃが第１カーテン本体７１ａの下縁から第１接触帯部７１ｂの基端縁にかけて形成され、第１接触帯部７１ｂの先端縁に第１可動カーテン７１の全幅に延びる第１先端ウエイト７１ｅが設けられ、第２扁平筒状袋７２ｃが第２カーテン本体７２ａの下縁から第２接触帯部７２ｂの基端縁にかけて形成され、第２接触帯部７２ｂの先端縁に第２可動カーテン７２の全幅に延びる第２先端ウエイト７２ｅが設けられたことを特徴とする。
この請求項９に記載された電磁波シールド間仕切り構造では、第１及び第２可動カーテン７１，７２を展開して、所定の空間５３をアッパ部材５４、ロア部材５６、第１可動カーテン７１、第２可動カーテン７２及び固定カーテン５８により仕切ったとき、第１可動ウエイト７１ｆが第１扁平筒状袋７１ｃ内を移動して第１カーテン本体７１ａの下縁又は第１接触帯部７１ｂを床面上のロア部材５６に強制的に接触させるとともに、第１先端ウエイト７１ｅが第１接触帯部７１ｂの先端縁を床面上のロア部材５６に強制的に接触させ、また第２可動ウエイト７２ｆが第２扁平筒状袋７２ｃ内を移動して第２カーテン本体７２ａの下縁又は第２接触帯部７２ｂを床面上のロア部材５６に強制的に接触させるとともに、第２先端ウエイト７２ｅが第２接触帯部７２ｂの先端縁を床面上のロア部材５６に強制的に接触させるので、ロア部材５６と第１及び第２可動カーテン７１，７２との間の隙間の発生が更に確実に阻止され、上記所定の空間５３を仕切る間仕切り構造の電磁波シールド性能を更に向上できる。
請求項１０に係る発明は、請求項８に係る発明であって、更に図１１及び図２１に示すように、第１可動カーテン７１の第１扁平筒状袋７１ｃより上方の第１カーテン本体７１ａ下部に第１可動カーテン７１の全幅に延びる第１テンションウエイト７１ｄが設けられ、第２可動カーテン７２の第２扁平筒状袋７２ｃより上方の第２カーテン本体７２ａ下部に第２可動カーテン７２の全幅に延びる第２テンションウエイト７２ｄが設けられたことを特徴とする。
この請求項１０に記載された電磁波シールド間仕切り構造では、第１可動カーテン７１の他側縁が第１カーテンレール６１の他端に位置しかつ第２可動カーテン７２の他側縁が第２カーテンレール６２の他端に位置するまで第１及び第２可動カーテン７１，７２を展開すると、第１及び第２テンションウエイト７１ｄ，７２ｄが上記展開した第１及び第２可動カーテン７１，７２の第１及び第２カーテン本体７１ａ，７２ａの弛みをそれぞれ無くすので、第１及び第２可動カーテン７１，７２の見栄えを向上できるとともに、第１及び第２可動カーテン７１，７２の弛む部分や皺になる部分が少なくなるので、第１及び第２可動ウエイト７１ｆ、７２ｆが第１及び第２扁平筒状袋７１ｃ，７２ｃ内をそれぞれ移動して、第１及び第２カーテン本体７１ａ，７２ａの下縁又は第１及び第２接触帯部７１ｂ，７２ｂを床面上のロア部材５６に効率良く接触させることができる。
【００１０】
請求項１１に係る発明は、請求項８に係る発明であって、更に図１１に示すように、固定カーテン５８の第１及び第２可動カーテン７１，７２に対向する内面にシート材６７が導電性を有する接続部材により固着され、導電性繊維をシート材６７に織り込むことにより形成された導電性突起物６８がシート材６７の表面に立設され、導電性突起物６８の先端が展開された第１及び第２可動カーテン７１，７２にそれぞれ接触するように構成されたことを特徴とする。
この請求項１１に記載された電磁波シールド間仕切り構造では、展開した第１及び第２可動カーテン７１，７２と固定カーテン５８との間に発生する隙間が導電性突起物６８によりそれぞれ閉塞されるので、所定の空間５３を仕切る間仕切り構造の電磁波シールド性能を更に向上できる。
請求項１２に係る発明は、請求項８に係る発明であって、更に図１１に示すように、天井５９に、クッション性を有する導電性シート６３、アッパ部材５４の周縁及び固定カーテン５８の上縁を介して第１及び第２カーテンレール６１，６２がそれぞれ取付けられたことを特徴とする。
この請求項１２に記載された電磁波シールド間仕切り構造では、天井５９と第１カーテンレール６１との間に、アッパ部材５４の周縁及び固定カーテン５８の上縁を挟み込み、天井５９と第２カーテンレール６２との間に、アッパ部材５４の周縁及び固定カーテン５８の上縁を挟み込むことにより、アッパ部材５４と固定カーテン５８とを電気的に接続できるとともに、アッパ部材５４と第１及び第２カーテンレール６１，６２とを電気的に接続できる。また天井５９と第１カーテンレール６１との間に、クッション性を有する導電性シート６３を挟み込み、天井５９と第２カーテンレール６２との間に、クッション性を有する導電性シート６３を挟み込むことにより、導電性シート６３が変形して天井５９と第１及び第２カーテンレール６１，６２との間の隙間が閉塞されるので、所定の空間５３を仕切る間仕切り構造の電磁波シールド性能を更に向上できる。
【００１１】
請求項１３に係る発明は、請求項８に係る発明であって、更に天井から垂下された複数の吊りボルトの下端に、アッパ部材の周縁に沿うようにフレームが取付けられ、フレームの下面に、クッション性を有する導電性シート、アッパ部材の周縁及び固定カーテンの上縁を介して第１及び第２カーテンレールがそれぞれ取付けられたことを特徴とする。
この請求項１３に記載された電磁波シールド間仕切り構造では、フレームと第１カーテンレールとの間に、アッパ部材の周縁及び固定カーテンの上縁を挟み込み、フレームと第２カーテンレールとの間に、アッパ部材の周縁及び固定カーテンの上縁を挟み込むことにより、アッパ部材と固定カーテンとを電気的に接続できるとともに、アッパ部材と第１及び第２カーテンレールとを電気的に接続できる。またフレームと第１及び第２カーテンレールとの間に、クッション性を有する導電性シートを挟み込むことにより、導電性シートが変形して天井と第１及び第２カーテンレールとの間の隙間が閉塞されるので、所定の空間を仕切る間仕切り構造の電磁波シールド性能を更に向上できる。
請求項１４に係る発明は、請求項８に係る発明であって、更に図１４及び図１６に示すように、展開した第１及び第２可動カーテン７１，７２の重合部の両側縁の隙間が面ファスナー１０１，１０２によりそれぞれ閉止可能に構成されたことを特徴とする。
この請求項１４に記載された電磁波シールド間仕切り構造では、展開した第１及び第２可動カーテン７１，７２の重合部の両側縁を面ファスナー１０１，１０２によりそれぞれ閉止するので、所定の空間５３を仕切る間仕切り構造の電磁波シールド性能を更に向上できる。
【００１２】
請求項１５に係る発明は、図１に示すように、請求項１ないし７いずれか１項に記載の電磁波シールド間仕切り構造に用いられる可動カーテンである。
請求項１６に係る発明は、図１に示すように、請求項１ないし７いずれか１項に記載の電磁波シールド間仕切り構造に用いられる固定カーテンである。
この請求項１５又は１６に記載されたカーテンでは、所定の空間とこの空間外とを連通する隙間をできるだけ少なくすることができるので、電磁波シールド性能を向上できるとともに、可動カーテンの見栄えを向上できる。
請求項１７に係る発明は、図１１に示すように、請求項８ないし１４いずれか１項に記載の電磁波シールド間仕切り構造に用いられる第１及び第２可動カーテンである。
請求項１８に係る発明は、図１１に示すように、請求項８ないし１４いずれか１項に記載の電磁波シールド間仕切り構造に用いられる固定カーテンである。
この請求項１７又は１８に記載されたカーテンでは、所定の空間とこの空間外とを連通する隙間をできるだけ少なくすることができるので、電磁波シールド性能を向上できるとともに、可動カーテンの見栄えを向上できる。
【発明の効果】
【００１３】
以上述べたように、本発明によれば、可動カーテンのカーテン本体下縁から接触帯部にかけて扁平筒状袋を形成し、この扁平筒状袋内で可動カーテンの高さ方向に移動可能な可動ウエイトを扁平筒状袋に収容したので、可動カーテンの展開時に可動ウエイトが扁平筒状袋内を移動してカーテン本体の下縁又は接触帯部を床面上のロア部材に強制的に接触させる。この結果、ロア部材と可動カーテンとの間の隙間の発生が阻止されるので、所定の空間への電磁波の侵入や所定の空間から電磁波の漏洩を抑制でき、上記所定の空間を仕切る間仕切り構造の電磁波シールド性能を向上できる。
また扁平筒状袋をカーテン本体の下縁から接触帯部の基端縁にかけて形成し、接触帯部の先端縁に可動カーテンの全幅に延びる先端ウエイトを設ければ、可動カーテンを展開して所定の空間を仕切ったとき、可動ウエイトが扁平筒状袋内を移動してカーテン本体の下縁又は接触帯部を床面上のロア部材に強制的に接触させるとともに、先端ウエイトが接触帯部の先端縁を床面上のロア部材に強制的に接触させる。この結果、ロア部材と可動カーテンとの間の隙間の発生が更に確実に阻止されるので、上記所定の空間を仕切る間仕切り構造の電磁波シールド性能を更に向上できる。
また扁平筒状袋の上方のカーテン本体下部にテンションウエイトを設ければ、可動カーテンの展開時に、テンションウエイトがカーテン本体の弛みを無くすので、可動カーテンの見栄えを向上できるとともに、可動カーテンの弛む部分や皺になる部分が少なくなるので、可動ウエイトがカーテン本体の下縁又は接触帯部を床面上のロア部材に効率良く接触させ、所定の空間を仕切る間仕切り構造の電磁波シールド性能を更に向上できる。
【００１４】
また固定カーテンの内面にシート材を接続部材により固着し、導電性突起物をシート材の表面に立設し、導電性突起物の先端を展開時の可動カーテンに接触するように構成すれば、展開した可動カーテンと固定カーテンとの間に発生する隙間が導電性突起物により閉塞されるので、所定の空間を仕切る間仕切り構造の電磁波シールド性能を更に向上できる。
また天井に、クッション性を有する導電性シート、アッパ部材の周縁及び固定カーテンの上縁を介してカーテンレールを取付ければ、アッパ部材と固定カーテンとを電気的に接続でき、アッパ部材とカーテンレールとを電気的に接続できるとともに、導電性シートが変形して天井とカーテンレールとの間の隙間が閉塞されるので、所定の空間を仕切る間仕切り構造の電磁波シールド性能を更に向上できる。
また天井から垂下された吊りボルトの下端に、アッパ部材の周縁に沿うようにフレームを取付け、このフレームの下面に、クッション性を有する導電性シート、アッパ部材の周縁及び固定カーテンの上縁を介してカーテンレールを取付ければ、アッパ部材と固定カーテンとを電気的に接続でき、アッパ部材とカーテンレールとを電気的に接続できるとともに、導電性シートが変形して天井とカーテンレールとの間の隙間が閉塞されるので、所定の空間を仕切る間仕切り構造の電磁波シールド性能を更に向上できる。
また展開時の可動カーテンの重合部の両側縁の隙間を面ファスナーによりそれぞれ閉止すれば、所定の空間を仕切る間仕切り構造の電磁波シールド性能を更に向上できる。
【００１５】
また第１可動カーテンの第１カーテン本体下縁から第１接触帯部にかけて第１扁平筒状袋を形成し、この第１扁平筒状袋内で第１可動カーテンの高さ方向に移動可能な第１可動ウエイトを第１扁平筒状袋に収容し、第２可動カーテンの第２カーテン本体下縁から第２接触帯部にかけて第２扁平筒状袋を形成し、この第２扁平筒状袋内で第２可動カーテンの高さ方向に移動可能な第２可動ウエイトを第２扁平筒状袋に収容したので、第１及び第２可動カーテンの展開時に、第１可動ウエイトが第１扁平筒状袋内を移動して第１カーテン本体の下縁又は第１接触帯部を床面上のロア部材に強制的に接触させるとともに、第２可動ウエイトが第２扁平筒状袋内を移動して第２カーテン本体の下縁又は第２接触帯部を床面上のロア部材に強制的に接触させる。この結果、ロア部材と第１及び第２可動カーテンとの間の隙間の発生が阻止されるので、所定の空間への電磁波の侵入や所定の空間から電磁波の漏洩を抑制でき、上記所定の空間を仕切る間仕切り構造の電磁波シールド性能を向上できる。
また第１扁平筒状袋を第１カーテン本体の下縁から第１接触帯部の基端縁にかけて形成し、第１接触帯部の先端縁に第１可動カーテンの全幅に延びる第１先端ウエイトを設け、第２扁平筒状袋を第２カーテン本体の下縁から第２接触帯部の基端縁にかけて形成し、第２接触帯部の先端縁に第２可動カーテンの全幅に延びる第２先端ウエイトを設ければ、第１及び第２可動カーテンを展開して所定の空間を仕切ったとき、第１可動ウエイトが第１扁平筒状袋内を移動して第１カーテン本体の下縁又は第１接触帯部を床面上のロア部材に強制的に接触させるとともに、第１先端ウエイトが第１接触帯部の先端縁を床面上のロア部材に強制的に接触させ、また第２可動ウエイトが第２扁平筒状袋内を移動して第２カーテン本体の下縁又は第２接触帯部を床面上のロア部材に強制的に接触させるとともに、第２先端ウエイトが第２接触帯部の先端縁を床面上のロア部材に強制的に接触させる。この結果、ロア部材と第１及び第２可動カーテンとの間の隙間の発生が更に確実に阻止されるので、上記所定の空間を仕切る間仕切り構造の電磁波シールド性能を更に向上できる。
また第１扁平筒状袋の上方の第１カーテン本体下部に第１テンションウエイトを設け、第２扁平筒状袋の上方の第２カーテン本体下部に第２テンションウエイトを設ければ、第１及び第２可動カーテンの展開時に、第１テンションウエイトが第１カーテン本体の弛みを無くし、第２テンションウエイトが第２カーテン本体の弛みを無くすので、第１及び第２可動カーテンの見栄えを向上できるとともに、第１及び第２可動カーテンの弛む部分や皺になる部分が少なくなるので、第１及び第２可動ウエイトが第１及び第２カーテン本体の下縁又は第１及び第２接触帯部を床面上のロア部材に効率良く接触させ、所定の空間を仕切る間仕切り構造の電磁波シールド性能を更に向上できる。
【００１６】
また固定カーテンの内面にシート材を接続部材により固着し、導電性突起物をシート材の表面に立設し、導電性突起物の先端を展開時の第１及び第２可動カーテンにそれぞれ接触するように構成すれば、展開した第１及び第２可動カーテンと固定カーテンとの間に発生する隙間が導電性突起物により閉塞されるので、所定の空間を仕切る間仕切り構造の電磁波シールド性能を更に向上できる。
また天井に、クッション性を有する導電性シート、アッパ部材の周縁及び固定カーテンの上縁を介して第１及び第２カーテンレールをそれぞれ取付ければ、アッパ部材と固定カーテンとを電気的に接続でき、アッパ部材と第１及び第２カーテンレールとを電気的に接続できるとともに、導電性シートが変形して天井と第１及び第２カーテンレールとの間の隙間が閉塞されるので、所定の空間を仕切る間仕切り構造の電磁波シールド性能を更に向上できる。
また天井から垂下された吊りボルトの下端に、アッパ部材の周縁に沿うようにフレームを取付け、このフレームの下面に、クッション性を有する導電性シート、アッパ部材の周縁及び固定カーテンの上縁を介して第１及び第２カーテンレールをそれぞれ取付ければ、アッパ部材と固定カーテンとを電気的に接続でき、アッパ部材と第１及び第２カーテンレールとを電気的に接続できるとともに、導電性シートが変形して天井と第１及び第２カーテンレールとの間の隙間が閉塞されるので、所定の空間を仕切る間仕切り構造の電磁波シールド性能を更に向上できる。
またに展開時の第１及び第２可動カーテンの重合部の両側縁の隙間を面ファスナーによりそれぞれ閉止可能に構成すれば、所定の空間を仕切る間仕切り構造の電磁波シールド性能を更に向上できる。
更に上記電磁波シールド間仕切り構造に用いられる可動カーテン、固定カーテン又は第１及び第２可動カーテンでは、所定の空間とこの空間外とを連通する隙間をできるだけ少なくすることができるので、電磁波シールド性能を向上できるとともに、可動カーテンの見栄えを向上できる。
【発明を実施するための最良の形態】
【００１７】
次に本発明を実施するための最良の形態を図面に基づいて説明する。
＜第１の実施の形態＞
図１、図８及び図９に示すように、電磁波シールド間仕切り構造は、部屋の床面１１と天井１６との間の所定の空間１２の上部に水平に設けられた導電性を有するアッパ部材１３と、上記所定の空間１２の床面１１上に設けられた導電性を有するロア部材１４と、アッパ部材１３の周縁に沿うように天井１６に固定された導電性を有するカーテンレール１７と、カーテンレール１７から垂下された導電性を有する可動カーテン１８と、上縁がカーテンレール１７とともに天井１６に固定された導電性を有する固定カーテン１９とを備える。天井１６には複数の吊りボルト２１が垂下され、これらの吊りボルト２１の下端にはチャンネル状のホルダ２２を介してフレーム２３が取付けられる（図１〜図３）。フレーム２３はアルミ合金等の軽量金属の角パイプをアッパ部材１３の周縁に沿うように曲げて形成され、かつその両端部は所定の長さだけ重合するように構成される。フレーム２３はホルダ２２にて挟持された状態でこれらにボルト２４を挿通して、このボルト２４の先端にナット２６を螺合することにより天井１６に垂下される。またカーテンレール１７はフレーム２３と同様にアルミ合金等の軽量金属のＣ型チャンネル材をアッパ部材１３の周縁に沿うように曲げて形成され、かつその両端部は所定の長さだけ重合するように構成される（図１〜図４及び図６）。
【００１８】
フレーム２３の下面には、クッション性を有する導電性シート２７、固定カーテン１９の上縁及びアッパ部材１３の周縁を介してカーテンレール１７が取付けられる（図１〜図３）。クッション性を有する導電性シート２７は、金属により被覆された太さ０．１〜１５ｄ（デニール）の樹脂繊維を不織布化して厚さ０．５〜１ｍｍ程度に形成されたシートである。この導電性シート２７は、カーテンレール１７の平面視と同一形状に形成される（図４）。また固定カーテン１９は、導電性繊維のみにより形成されたドレープ性を有する純粋導電性織物か、通常の合成繊維又は合成糸に導電性繊維又は導電性糸を所定の割合だけ織込んだドレープ性を有する混合導電性織物か、或いは上記純粋導電性織物又は混合導電性織物を片面、両面又は内部に貼り合わせたドレープ性を有するシート等により形成され、展開時の可動カーテン１８の上部を覆うようにアッパ部材１３の全周にわたって垂下される。ここで、ドレープ性とは布やシートなどが優雅なひだをとって垂れ下がる性質をいう。固定カーテン１９の高さは所定の空間への入出者の出入りに支障をきたさないように設定される。更にアッパ部材１３は、照明器具の発する光をアッパ部材１３を通して所定の空間１２内に取り入れるために、金属製の網や導電性繊維製の網などにより略長方形状に形成される（図６）。なお、上記クッション性を有する導電性シート２７は、カーテンレール１７をタッピングねじ２８によりフレーム２３に固定することにより圧縮されて、その両面がカーテンレール１７の上面及びフレーム２３の下面に沿って変形するので、導電性シート２７、アッパ部材１３、固定カーテン１９及びカーテンレール１７の密着性が向上して、これらの間に隙間が全く発生しないようになっている。
【００１９】
一方、カーテンレール１７の内部には、導電性を有する複数のローラ２９が転動可能に収容され、可動カーテン１８の上縁は所定の間隔をあけて上記複数のローラ２９に導電性を有するフック３１を介して取付けられる（図１〜図３）。可動カーテン１８は、導電性繊維のみにより形成されたドレープ性を有する純粋導電性織物か、通常の合成繊維又は合成糸に導電性繊維又は導電性糸を所定の割合だけ織込んだドレープ性を有する混合導電性織物か、或いは上記純粋導電性織物又は混合導電性織物を片面、両面又は内部に貼り合わせたドレープ性を有するシート等により形成され、可動カーテン１８の下縁は床面１１に到達してロア部材１４に接触するように垂下される。具体的には、可動カーテン１８は、鉛直方向に延びるカーテン本体１８ａと、このカーテン本体１８ａの下縁に一体的に設けられロア部材１４に接触して床面１１上に広がる接触帯部１８ｂとを有する。またカーテン本体１８ａの下縁から接触帯部１８ｂの基端縁にかけて扁平筒状袋１８ｃが形成される。この扁平筒状袋１８ｃは可動カーテン１８の高さ方向に所定の長さを有し、かつ可動カーテン１８の全幅に延びて形成される。扁平筒状袋１８ｃの可動カーテン高さ方向の長さは、カーテン本体１８ａの下縁側に３〜５ｃｍ、接触帯部１８ｂの基端縁側に３〜５ｃｍ、合計６〜１０ｃｍであることが好ましい。更に可動カーテン１８はカーテンレール１７に沿って水平方向に展開又は折畳まれ、かつ展開した状態で所定の空間１１の上面と床面１１との間の周囲面を覆うように構成される。なお、ロア部材１４は導電性を有するシート、例えば導電性シート、導電性不織布、導電性カーペット等により形成される。
【００２０】
上記扁平筒状袋１８ｃには、可動カーテン１８の全幅に延びる可動ウエイト３４が収容され、この扁平筒状袋１８ｃの両端は可動ウエイト３４の収容後に閉止される（図１〜図３）。可動ウエイト３４は、扁平筒状袋１８ｃ内で可動カーテン１８の高さ方向に移動可能であって、可動カーテン１８の幅方向に移動不能に構成される。また接触帯部１８ｃの先端縁には、可動カーテン１８の全幅に延びる先端ウエイト３３が設けられ、扁平筒状袋部１８ｃより上方のカーテン本体１８ａ下部には、可動カーテン１８の全幅に延びるテンションウエイト３２が設けられる。上記先端ウエイト３３及びテンションウエイト３２は可動カーテン１８の高さ方向及び幅方向のいずれにも移動できないように構成される。更に上記可動ウエイト３４、先端ウエイト３３及びテンションウエイト３２は、金属製、プラスチック製又は木製のチェーンにより形成される。この金属製、プラスチック製又は木製のチェーンとは、複数の金属製、プラスチック製又は木製の球体、楕円体、円柱体などを、金属製、プラスチック製又は木製のリンクで連結して形成されたチェーンである。なお、扁平筒状袋１８ｃの可動カーテン高さ方向の長さを上記範囲に限定したのは、部屋の床面１１が鉛直方向に湾曲していても、可動ウエイト３４が扁平筒状袋１８ｃ内を可動カーテン１８の高さ方向に移動して、カーテン本体１８ａの下縁又は接触帯部１８ｂの基端縁をロア部材１４に常に接触させるためである。また、可動カーテン１８が、通常の合成繊維又は合成糸に導電性繊維又は導電性糸を所定の割合だけ織込んだ混合導電性織物等により形成されて柔軟性に富む場合には、比較的軽いウエイト３２〜３４を用いることができ、導電性繊維のみにより形成された純粋導電性織物や純粋導電性織物を片面、両面又は内部に貼り合わせたシート等により形成されて柔軟性に乏しい場合には、比較的重いウエイト３２〜３４を用いる必要がある。
【００２１】
固定カーテン１９の可動カーテン１８に対向する内面には、固定カーテン１９の水平方向の全長にわたって帯状のシート材３６が導電性を有する接続部材（図示せず）により固着され、このシート材３６の表面には導電性突起物３７が立設される。具体的には、シート材３６は、たて糸とよこ糸を織り上げて作られたて方向を長さ方向とする帯状の基布である。また導電性突起物３７は、上記基布３６のたて方向に複数本の導電性パイル糸を割り込ませて織り上げてパイル糸をカットすることにより基布３６の表面に突出して形成される。接続部材は、基布３６の裏面に導電性接着剤を塗布することにより形成された第１導電性接着剤層と、基布３６に第１導電性接着剤層を介して接着された導電性金属箔と、この金属箔の裏面に導電性接着剤を塗布することにより形成された第２導電性接着剤層とにより構成される。これにより導電性突起物３７の基端は上記接続部材を介して固定カーテン１９に電気的に接続され、導電性突起物３７の先端は展開時の可動カーテン１８の外面に接触し固定カーテン１９と可動カーテン１８との間の隙間を閉塞するように構成される。更に展開した可動カーテン１８の重合部の両側縁の隙間は第１及び第２面ファスナー４１，４２によりそれぞれ閉止可能に構成される（図５及び図７）。具体的には、可動カーテン１８の一側縁の内面に沿って第１面ファスナー４１の一片４１ａが接着され、展開時にこの一片４１ａに対向する可動カーテン１８の外面に第１面ファスナー４１の他片４１ｂが接着される。また可動カーテン１８の他側縁の外面に沿って第２面ファスナー４２の一片４２ａが接着され、展開時にこの一片４２ａに対向する可動カーテン１８の内面に第２面ファスナー４２の他片４２ｂが接着される。なお、ロア部材１４又はアッパ部材１３のいずれか一方又は双方は接地される。
【００２２】
このように構成された電磁波シールド間仕切り構造では、可動カーテン１８の一側縁がカーテンレール１７の一端に位置しかつ可動カーテン１８の他側縁がカーテンレール１７の他端に位置するまで可動カーテン１８を展開すると、カーテンレール１７の重合長さ分だけ可動カーテン１８の両側部が重合した後、この展開した可動カーテン１８の重合部の両側縁を第１及び第２面ファスナー４１，４２によりそれぞれ閉止する。このとき可動ウエイト３４が扁平筒状袋１８ｃ内を移動してカーテン本体１８ａの下縁又は接触帯部１８ｂを床面１１上のロア部材１４に強制的に接触させるとともに、先端ウエイト３３が接触帯部１８ｂの先端縁を床面１１上のロア部材１４に強制的に接触させるので、ロア部材１４と可動カーテン１８との間に隙間は発生しない。また展開した可動カーテン１８と固定カーテン１９との間に発生する隙間は導電性突起物３７により閉塞され、展開した可動カーテン１８の重合部の両側縁の隙間は第１及び第２面ファスナー４１，４２によりそれぞれ閉止される。この結果、所定の空間１２はアッパ部材１３、ロア部材１４、可動カーテン１８及び固定カーテン１９により上記所定の空間１１の周囲から殆ど隙間なく仕切られるので、所定の空間１１への電磁波の侵入や所定の空間１１から電磁波の漏洩を抑制でき、上記所定の空間１１を仕切る間仕切り構造の電磁波シールド性能を向上できる。一方、テンションウエイト３２が可動カーテン１８のカーテン本体１８ａの弛みの発生を阻止するので、可動カーテン１８の見栄えを向上できる。またテンションウエイト３２の存在により可動カーテン１８の弛む部分や皺になる部分が少なくなるので、可動ウエイト３４が扁平筒状袋１８ｃ内を移動して、カーテン本体１８ａの下縁又は接触帯部１８ｂを床面上のロア部材１４に効率良く接触させ、所定の空間１２を仕切る間仕切り構造の電磁波シールド性能を更に向上できる。更にアッパ部材１３の周縁が固定カーテン１９により覆われるので、所定の空間１２外からの見栄えを向上できる。
【００２３】
＜第２の実施の形態＞
図１０は本発明の第２の実施の形態を示す。図１０において図８と同一符号は同一部品を示す。
この実施の形態では、可動カーテン１８の重合部において、内側の可動カーテン１８の接触帯部１８ｃがロア部材１４に接触して所定の空間１２の内方の床面１１上に広がって設けられる。上記以外は第１の実施の形態と同一に構成される。
このように構成された電磁波シールド間仕切り構造では、可動カーテンの接触帯部１８ｃが所定の空間１２の外方から内方に向かう部分に捩れが発生するけれども、可動ウエイト３４及び先端ウエイト３３により２重に可動カーテン１８を床面１１上のロア部材１４に強制的に接触させるので、ロア部材１４と可動カーテン１８との間に隙間は発生しない。上記以外の動作は第１の実施の形態と略同様であるので、繰返しの説明を省略する。
【００２４】
＜第３の実施の形態＞
図１１〜図２２は本発明の第３の実施の形態を示す。
この実施の形態では、電磁波シールド間仕切り構造が、部屋の床面５１と壁面５２と天井５９で囲まれた所定の空間５３の上部に水平に設けられた導電性を有するアッパ部材５４と、上記所定の空間５３の床面５１上に設けられた導電性を有するロア部材５６と、上記所定の空間５３の壁面５２に設けられた導電性を有するサイド部材５７と、サイド部材５７の上縁一端からサイド部材５７から離れかつアッパ部材５４の周縁に沿うように天井５９に固定された導電性を有する第１カーテンレール６１と、サイド部材５７の上縁他端からサイド部材５７から離れかつアッパ部材５４の周縁に沿うように天井５９に固定された導電性を有する第２カーテンレール６２と、第１カーテンレール６１から垂下された導電性を有する第１可動カーテン７１と、第２カーテンレール６２から垂下された導電性を有する第２可動カーテン７２と、上縁が第１及び第２カーテンレール６１，６２とともに部屋の天井５９に固定された導電性を有する固定カーテン５８とを備える（図１１、図２１及び図２２）。
【００２５】
天井５９には、クッション性を有する導電性シート６３、固定カーテン５８の上縁及びアッパ部材５４の周縁を介して第１及び第２カーテンレール６１，６２がタッピングねじ６６により取付けられる（図１１及び図１２）。クッション性を有する導電性シート６３は、金属により被覆された太さ０．１〜１５ｄ（デニール）の樹脂繊維を不織布化して厚さ０．５〜１ｍｍ程度に形成されたシートである。この導電性シート６３は、第１及び第２カーテンレール６１，６２の平面視と同一形状に形成される（図１３）。また固定カーテン５８は、導電性繊維のみにより形成されたドレープ性を有する純粋導電性織物か、通常の合成繊維又は合成糸に導電性繊維又は導電性糸を所定の割合で織込んだドレープ性を有する混合導電性織物か、或いは上記純粋導電性織物又は混合導電性織物を片面、両面又は内部に貼り合わせたドレープ性を有するシート等により形成され、展開時の第１及び第２可動カーテン７１，７２の上部を覆うようにアッパ部材５４の全周にわたって垂下される。固定カーテン５８の高さは所定の空間５３への入出者の出入りに支障をきたさないように設定される。またアッパ部材５４は、導電性繊維のみにより形成された純粋導電性織物か、通常の合成繊維又は合成糸に導電性繊維又は導電性糸を所定の割合で織込んだ混合導電性織物か、或いはアルミ箔に布を貼り合わせたシート等により形成されたアッパ本体５４ａと、このアッパ本体５４ａの中央に形成された角孔５４ｂを塞ぐとともに照明器具６５の発する光を所定の空間５３内に取り入れるための採光部５４ｃとを有する。上記角孔５４ｂは天井の照明器具６５の位置及び大きさに合わせて形成され、採光部５４ｃは金属製の網や導電性繊維製の網などにより略長方形状に形成される（図１５）。更に、サイド部材５７は、導電性繊維のみにより形成された純粋導電性織物か、通常の合成繊維又は合成糸に導電性繊維又は導電性糸を所定の割合で織込んだ混合導電性織物か、或いはアルミ箔に布を貼り合わせたシート等により形成される。なお、上記クッション性を有する導電性シート６３は、第１及び第２カーテンレール６１，６２をタッピングねじ６６により天井５９に固定することにより圧縮されて、その両面が第１及び第２カーテンレール６１，６２の上面及び天井５９の下面に沿って変形するので、導電性シート６３、アッパ部材５４、固定カーテン５８、第１カーテンレール６１及び第２カーテンレール６２の密着性が向上して、これらの間に隙間が全く発生しないようになっている。
【００２６】
一方、第１カーテンレール６１の内部には、導電性を有する複数の第１ローラ６１ａが転動可能に収容され、第１可動カーテン７１の上縁は所定の間隔をあけて上記複数の第１ローラ６１ａに導電性を有するフック６４を介して取付けられる（図１１及び図１２）。また第２カーテンレール６２の内部には、導電性を有する複数の第２ローラ６２ａが転動可能に収容され、第２可動カーテン７２の上縁は所定の間隔をあけて上記複数の第２ローラ６２ａに導電性を有するフック６４を介して取付けられる。第１及び第２可動カーテン７１，７２は、導電性繊維のみにより形成されたドレープ性を有する純粋導電性織物か、通常の合成繊維又は合成糸に導電性繊維又は導電性糸を所定の割合で織込んだドレープ性を有する混合導電性織物か、或いは上記純粋導電性織物又は混合導電性織物を片面、両面又は内部に貼り合わせたドレープ性を有するシート等により形成され、第１及び第２可動カーテン７１，７２の下縁は床面５１に到達してロア部材５６に接触するように垂下される。
【００２７】
具体的には、第１可動カーテン７１は、鉛直方向に延びる第１カーテン本体７１ａと、この第１カーテン本体７１ａの下縁に一体的に設けられロア部材５６に接触して床面５１上に広がる第１接触帯部７１ｂとを有する（図１１及び図１２）。また第１カーテン本体７１ａの下縁から第１接触帯部７１ｂの基端縁にかけて第１扁平筒状袋７１ｃが形成される。この第１扁平筒状袋７１ｃは第１可動カーテン７１の高さ方向に所定の長さを有し、かつ第１可動カーテン７１の全幅に延びて形成される。第１扁平筒状袋７１ｃの第１可動カーテン高さ方向の長さは、第１カーテン本体７１ａの下縁側に３〜５ｃｍ、第１接触帯部７１ｂの基端縁側に３〜５ｃｍ、合計６〜１０ｃｍであることが好ましい。一方、第２可動カーテン７２は、鉛直方向に延びる第２カーテン本体７２ａと、この第２カーテン本体７２ａの下縁に一体的に設けられロア部材５６に接触して床面５１上に広がる第２接触帯部７２ｂとを有する。また第２カーテン本体７２ａの下縁から第２接触帯部７２ｂの基端縁にかけて第２扁平筒状袋７２ｃが形成される。この第２扁平筒状袋７２ｃは第２可動カーテン７２の高さ方向に所定の長さを有し、かつ第２可動カーテン７２の全幅に延びて形成される。第２扁平筒状袋７２ｃの第２可動カーテン高さ方向の長さは、第２カーテン本体７２ａの下縁側に３〜５ｃｍ、第２接触帯部７２ｂの基端縁側に３〜５ｃｍ、合計６〜１０ｃｍであることが好ましい。更に第１及び第２可動カーテン７１，７２は第１及び第２カーテンレール６１，６２に沿って水平方向にそれぞれ展開又は折畳まれ、かつ展開した状態で所定の空間５３の上面と床面５１との間の第１及び第２カーテンレール６１，６２下方の周囲面を覆うように構成される。なお、ロア部材５６は導電性を有するシート、例えば導電性シート、導電性不織布、導電性カーペット等により形成される。
【００２８】
上記第１扁平筒状袋７１ｃには、第１可動カーテン７１の全幅に延びる第１可動ウエイト７１ｆが収容され、この第１扁平筒状袋７１ｃの両端は第１可動ウエイト７１ｆの収容後に閉止される（図１１及び図１２）。第１可動ウエイト７１ｆは、第１扁平筒状袋７１ｃ内で第１可動カーテン７１の高さ方向に移動可能であって、第１可動カーテン７１の幅方向に移動不能に構成される。また第１接触帯部７１ｃの先端縁には、第１可動カーテン７１の全幅に延びる第１先端ウエイト７１ｅが設けられ、第１扁平筒状袋部７１ｃより上方の第１カーテン本体７１ａ下部には、第１可動カーテン７１の全幅に延びる第１テンションウエイト７１ｄが設けられる。上記第１先端ウエイト７１ｅ及び第１テンションウエイト７１ｄは第１可動カーテン７１の高さ方向及び幅方向のいずれにも移動できないように構成される。一方、上記第２扁平筒状袋７２ｃには、第２可動カーテン７２の全幅に延びる第２可動ウエイト７２ｆが収容され、この第２扁平筒状袋７２ｃの両端は第２可動ウエイト７２ｆの収容後に閉止される。第２可動ウエイト７２ｆは、第２扁平筒状袋７２ｃ内で第２可動カーテン７２の高さ方向に移動可能であって、第２可動カーテン７２の幅方向に移動不能に構成される。また第２接触帯部７２ｃの先端縁には、第２可動カーテン７２の全幅に延びる第２先端ウエイト７２ｅが設けられ、第２扁平筒状袋部７２ｃより上方の第２カーテン本体７２ａ下部には、第２可動カーテン７２の全幅に延びる第２テンションウエイト７２ｄが設けられる。上記第２先端ウエイト７２ｅ及び第２テンションウエイト７２ｄは第２可動カーテン７２の高さ方向及び幅方向のいずれにも移動できないように構成される。
【００２９】
上記第１可動ウエイト７１ｆ、第１先端ウエイト７１ｅ、第１テンションウエイト７１ｄ、第２可動ウエイト７２ｆ、第２先端ウエイト７２ｅ及び第２テンションウエイト７２ｄは、金属製、プラスチック製又は木製のチェーンにより形成される（図１１及び図１２）。この金属製、プラスチック製又は木製のチェーンとは、複数の金属製、プラスチック製又は木製の球体、楕円体、円柱体などを、金属製、プラスチック製又は木製のリンクで連結して形成されたチェーンである。なお、第１扁平筒状袋７１ｃの第１可動カーテン高さ方向の長さを上記範囲に限定したのは、部屋の床面５１が鉛直方向に湾曲していても、第１可動ウエイト７１ｆが第１扁平筒状袋７１ｃ内を第１可動カーテン７１の高さ方向に移動して、第１カーテン本体７１ａの下縁又は第１接触帯部７１ｂの基端縁をロア部材５６に常に接触させるためである。また第２扁平筒状袋７２ｃの第２可動カーテン高さ方向の長さを上記範囲に限定したのは、部屋の床面５１が鉛直方向に湾曲していても、第２可動ウエイト７２ｆが第２扁平筒状袋７２ｃ内を第２可動カーテン７２の高さ方向に移動して、第２カーテン本体７２ａの下縁又は第２接触帯部７２ｂの基端縁をロア部材５６に常に接触させるためである。更に、第１及び第２可動カーテン７１，７２が、通常の合成繊維又は合成糸に導電性繊維又は導電性糸を所定の割合だけ織込んだ混合導電性織物等により形成されて柔軟性に富む場合には、比較的軽いウエイト７１ｄ〜７１ｆ，７２ｄ〜７２ｆを用いることができ、導電性繊維のみにより形成された純粋導電性織物や純粋導電性織物を片面、両面又は内部に貼り合わせたシート等により形成されて柔軟性に乏しい場合には、比較的重いウエイト７１ｄ〜７１ｆ，７２ｄ〜７２ｆを用いる必要がある。
【００３０】
サイド部材５７の一側縁に対向する壁面５２上部には、クッション性を有する第１導電性シート８１、サイド部材５７の一側縁、固定カーテン５８の一側縁及び第１可動カーテン７１の一側縁を介して第１アングル部材９１がタッピングねじ６９により固定される（図１７）。サイド部材５７の一側縁に対向する壁面５２下部には、上記クッション性を有する第１導電性シート８１、サイド部材５７の一側縁及び第１可動カーテン７１の一側縁を介して上記第１アングル部材９１がタッピングねじ６９により固定される（図１８）。またサイド部材５７の他側縁に対向する壁面５２上部には、クッション性を有する第２導電性シート８２、サイド部材５７の他側縁、固定カーテン５８の他側縁及び第２可動カーテン７２の一側縁を介して第２アングル部材９２がタッピングねじ６９により固定される（図１９）。サイド部材５８の他側縁に対向する壁面５２下部には、上記クッション性を有する第２導電性シート８２、サイド部材５７の他側縁及び第２可動カーテン７２の一側縁を介して上記第２アングル部材９２がタッピングねじ６９により固定される（図２０）。上記クッション性を有する第１導電性シート８１の上部は固定カーテン５８、サイド部材５７及び第１可動カーテン７１を壁面５２に密着させる機能を有し、クッション性を有する第１導電性シート８１の下部はサイド部材５７及び第１可動カーテン７１を壁面に密着させる機能を有する。また上記クッション性を有する第２導電性シート８２の上部はサイド部材５７、固定カーテン５８及び第２可動カーテン７２を壁面５２に密着させる機能を有し、クッション性を有する第２導電性シート８２の下部はサイド部材５７及び第２可動カーテン７２を壁面５２に密着させる機能を有する。
【００３１】
固定カーテン５８の第１及び第２可動カーテン７１，７２に対向する内面には、固定カーテン５８の水平方向の全長にわたって帯状のシート材６７が導電性を有する接続部材（図示せず）により固着され、このシート材６７の表面に導電性突起物６８が立設される。上記シート材６７、導電性突起物６８及び接続部材は第１の実施の形態のシート材、導電性突起物及び接続部材と同一材料で形成される。これにより導電性突起物６８の基端は上記接続部材を介して固定カーテン５８に電気的に接続され、導電性突起物６８の先端は展開時の第１及び第２可動カーテン７１，７２の外面に接触し固定カーテン５８と第１及び第２可動カーテン７１，７２との間の隙間を閉塞するように構成される。更に展開した第１及び第２可動カーテン７１，７２の重合部の両側縁の隙間は第１及び第２面ファスナー１０１，１０２によりそれぞれ閉止可能に構成される（図１４及び図１６）。具体的には、第１可動カーテン７１の他側縁の外面に沿って第１面ファスナー１０１の一片１０１ａが接着され、展開時にこの一片１０１ａに対向する第２可動カーテン７２の内面に第１面ファスナー１０１の他片１０１ｂが接着される。また第２可動カーテン７２の他側縁の内面に沿って第２面ファスナー１０２の一片１０２ａが接着され、展開時にこの一片１０２ａに対向する第１可動カーテン７１の外面に第２面ファスナー１０２の他片１０２ｂが接着される。なお、ロア部材５６又はアッパ部材５４のいずれか一方又は双方は接地される。
【００３２】
このように構成された電磁波シールド間仕切り構造では、第１可動カーテン７１の他側縁が第１カーテンレール６１の他端に位置しかつ第２可動カーテン７２の他側縁が第２カーテンレール６２の他端に位置するまで第１及び第２可動カーテン７１，７２を展開すると、第１及び第２カーテンレール６１，６２の重合長さ分だけ第１及び第２可動カーテン７１，７２の他側部が重合した後、この展開した第１及び第２可動カーテン７１，７２の重合部の両側縁を第１及び第２面ファスナー１０１，１０２によりそれぞれ閉止する。このとき第１可動ウエイト７１ｆが第１扁平筒状袋７１ｃ内を移動して第１カーテン本体７１ａの下縁又は第１接触帯部７１ｂを床面５１上のロア部材５６に強制的に接触させるとともに、第１先端ウエイト７１ｅが第１接触帯部７１ｂの先端縁を床面５１上のロア部材５６に強制的に接触させる。同時に第２可動ウエイト７２ｆが第２扁平筒状袋７２ｃ内を移動して第２カーテン本体７２ａの下縁又は第２接触帯部７２ｂを床面５１上のロア部材５６に強制的に接触させるとともに、第２先端ウエイト７２ｅが第２接触帯部７２ｂの先端縁を床面５１上のロア部材５６に強制的に接触させる。これによりロア部材１４と第１及び第２可動カーテン７１，７２との間に隙間は発生しない。また展開した第１及び第２可動カーテン７１，７２と固定カーテン５８との間に発生する隙間は導電性突起物６８により閉塞され、展開した第１及び第２可動カーテン７１，７２の重合部の両側縁の隙間は第１及び第２面ファスナー１０１，１０２によりそれぞれ閉止される。この結果、所定の空間がアッパ部材５４、ロア部材５６、サイド部材５７、第１可動カーテン７１、第２可動カーテン７２及び固定カーテン５８により上記所定の空間５３の周囲から殆ど隙間なく仕切られるので、所定の空間５３への電磁波の侵入や所定の空間から電磁波の漏洩を抑制でき、上記所定の空間を仕切る間仕切り構造の電磁波シールド性能を向上できる。一方、第１テンションウエイト７１ｄが第１可動カーテン７１の第１カーテン本体７１ａの弛みの発生を阻止し、第２テンションウエイト７２ｄが第２可動カーテン７２の第２カーテン本体７２ａの弛みの発生を阻止するので、第１及び第２可動カーテン７１，７２の見栄えを向上できる。また第１及び第２テンションウエイト７１ｄ，７２ｄの存在により第１及び第２可動カーテン７１，７２の弛む部分や皺になる部分が少なくなるので、第１及び第２可動ウエイト７１ｆ、７２ｆが第１及び第２扁平筒状袋７１ｃ，７２ｃ内をそれぞれ移動して、第１及び第２カーテン本体７１ａ，７２ａの下縁又は第１及び第２接触帯部７１ｂ，７２ｂを床面上のロア部材５６に効率良く接触させる。この結果、所定の空間５３を仕切る間仕切り構造の電磁波シールド性能を更に向上できる。更にアッパ部材５４の周縁が固定カーテン５８により覆われるので、所定の空間５３外からの見栄えを向上できる。
【００３３】
＜第４の実施の形態＞
図２３は本発明の第４の実施の形態を示す。図２３において図３と同一符号は同一部品を示す。
この実施の形態では、第１の実施の形態の先端ウエイトが無く、接触帯部１１８ｂの可動カーテン１１８の高さ方向の長さが短く形成される。即ち、カーテン本体１１８ａの下縁から接触帯部１１８ｂの全長にわたって扁平筒状袋１１８ｃが形成される。この扁平筒状袋１１８ｃは可動カーテン１１８の高さ方向に所定の長さを有し、かつ可動カーテン１１８の全幅にわたって形成される。これにより接触帯部１１８ｂの全てが扁平筒状袋１１８ｃの一部となり、接触帯部１１８ｂの可動カーテン１１８の高さ方向の長さは３〜５ｃｍに形成される。上記以外は第１の実施の形態と同一に構成される。
このように構成された電磁波シールド間仕切り構造では、第１の実施の形態の先端ウエイトが無くても、可動ウエイト３４によりある程度の電磁波シールド効果を発現できる。また可動カーテン１１８の接触帯部１１８ｂが短いので、可動カーテン１１８のロア部材１４に接触する面積が少なくなり、可動カーテン１１８をスムーズに開閉できるとともに、可動カーテン１１８の汚損を低減できる。上記以外の動作は第１の実施の形態の動作と略同様であるので、繰返しの説明を省略する。
【００３４】
なお、上記第１の実施の形態では、天井から垂下された複数の吊りボルトの下端に、アッパ部材の周縁に沿うようにフレームを取付け、このフレームの下面に、クッション性を有する導電性シート、固定カーテンの上縁及びアッパ部材の周縁を介してカーテンレールを取付けたが、天井が低い場合には、天井に、クッション性を有する導電性シート、固定カーテンの上縁及びアッパ部材の周縁を介してカーテンレールを直接取付けてもよい。
また、上記第３の実施の形態では、天井に、クッション性を有する導電性シート、固定カーテンの上縁及びアッパ部材の周縁を介して第１及び第２カーテンレールを直接取付けたが、天井が高い場合には、天井から垂下された複数の吊りボルトの下端に、サイド部材の上縁から離れたアッパ部材の周縁に沿うようにフレームを取付け、このフレームの下面に、クッション性を有する導電性シート、固定カーテンの上縁及びアッパ部材の周縁を介して第１及び第２カーテンレールを取付けてもよい。
更に、上記第３の実施の形態では、壁面として平坦な１面からなる壁面を挙げたが、部屋のコーナ部のように直角に接続された２面或いは所定の角度で接続された３面以上からなる壁面であってもよい。
【図面の簡単な説明】
【００３５】
【図１】本発明第１実施形態の電磁波シールド間仕切り構造を示す図５のＡ−Ａ線断面図である。
【図２】図５のＢ−Ｂ線断面図である。
【図３】（ａ）は可動カーテンのフックをカーテンレールのローラに係止する直前の状態を示す断面図であり、（ｂ）は可動カーテンのフックをカーテンレールのローラに係止した状態を示す断面図である。
【図４】図８のＣ−Ｃ線断面図である。
【図５】図８のＤ−Ｄ線断面図である。
【図６】図８のＥ−Ｅ線断面図である。
【図７】図８のＦ−Ｆ線断面図である。
【図８】図５のＧ−Ｇ線断面図である。
【図９】（ａ）は可動カーテンの一部を折畳んで所定の空間の一部を開放した状態を示す斜視図であり、（ｂ）は可動カーテンの全てを展開して所定の空間を閉止した状態を示す斜視図である。
【図１０】本発明の第２の実施の形態を示す図８に対応する断面図である。
【図１１】本発明第３実施形態の電磁波シールド間仕切り構造を示す図１４のＨ−Ｈ線断面図である。
【図１２】図１４のＩ−Ｉ線断面図である。
【図１３】図２１のＪ−Ｊ線断面図である。
【図１４】図２１のＫ−Ｋ線断面図である。
【図１５】図２１のＬ−Ｌ線断面図である。
【図１６】図２１のＭ−Ｍ線断面図である。
【図１７】図１４のＮ部拡大断面図である。
【図１８】図１６のＰ部拡大断面図である。
【図１９】図１４のＱ部拡大断面図である。
【図２０】図１６のＲ部拡大断面図である。
【図２１】図１４のＳ−Ｓ線断面図である。
【図２２】（ａ）は可動カーテンの一部を折畳んで所定の空間の一部を開放した状態を示す斜視図であり、（ｂ）は可動カーテンの全てを展開して所定の空間を閉止した状態を示す斜視図である。
【図２３】本発明の第４の実施の形態を示す図３に対応する断面図であり、（ａ）は可動カーテンのフックをカーテンレールのローラに係止する直前の状態を示す断面図であり、（ｂ）は可動カーテンのフックをカーテンレールのローラに係止した状態を示す断面図である。
【符号の説明】
【００３６】
１１，５１  床面
１２，５３  所定の空間
１３，５４  アッパ部材
１４，５６  ロア部材
１６，５９  天井
１７，６１，６２  カーテンレール
１８，７１，７２，１１８  可動カーテン
１８ａ，７１ａ，７２ａ，１１８ａ  カーテン本体
１８ｂ，７１ｂ，７２ｂ，１１８ｂ  接触帯部
１８ｃ，７１ｃ，７２ｃ，１１８ｃ  扁平筒状袋
１９，５９  固定カーテン
２１  吊りボルト
２３  フレーム
２７，６３  導電性シート
２９，６１ａ，６２ａ  ローラ
３２，７１ｄ，７２ｄ  テンションウエイト
３３，７１ｅ，７２ｅ  先端ウエイト
３４，７１ｆ，７２ｆ  可動ウエイト
３６，６７  シート材
３７，６８  導電性突起物
４１，４２，１０１，１０２  面ファスナー
５２  壁面
５７  サイド部材
【図１】
2006118260.tif 000003
【図２】
2006118260.tif 000004
【図３】
2006118260.tif 000005
【図４】
2006118260.tif 000006
【図５】
2006118260.tif 000007
【図６】
2006118260.tif 000008
【図７】
2006118260.tif 000009
【図８】
2006118260.tif 000010
【図９】
2006118260.tif 000011
【図１０】
2006118260.tif 000012
【図１１】
2006118260.tif 000013
【図１２】
2006118260.tif 000014
【図１３】
2006118260.tif 000015
【図１４】
2006118260.tif 000016
【図１５】
2006118260.tif 000017
【図１６】
2006118260.tif 000018
【図１７】
2006118260.tif 000019
【図１８】
2006118260.tif 000020
【図１９】
2006118260.tif 000021
【図２０】
2006118260.tif 000022
【図２１】
2006118260.tif 000023
【図２２】
2006118260.tif 000024
【図２３】
2006118260.tif 000025